(57)【特許請求の範囲】
【請求項１】
データ送信方法であって、
基地局（ｅＮＢ）は、マルチキャストコントロールチャネル（ＭＣＣＨ）をベアラする物理マルチキャストチャネル（ＰＭＣＨ）が存在しないことを確認した場合、システム情報ブロックメッセージを送信することと、
前記システム情報ブロックメッセージに基づき、マルチメディア・ブロードキャスト・マルチキャスト・シングル周波数・ネットワーク（ＭＢＳＦＮ）のエリアコンフィギュレーションメッセージを構成することと、
前記システム情報ブロックメッセージの構成、または前記ＭＢＳＦＮのエリアコンフィギュレーションメッセージの構成に基づき、データのスケジューリングを行うことと、
前記ＭＢＳＦＮのエリアコンフィギュレーションメッセージを送信することと、
を含む前記データ送信方法。
【請求項２】
前記ＭＣＣＨをベアラするＰＭＣＨが存在しないことを確認することは、
ｅＮＢがＭ２セットアップ応答メッセージを受信し、ＭＢＭＳスケジューリング情報指示メッセージが受信されていない場合、ＭＣＣＨをベアラするＰＭＣＨが存在しないと確認すること、または、
ｅＮＢがＭＢＭＳスケジューリング情報指示メッセージを受信し、前記ＭＢＭＳスケジューリング情報指示メッセージに基づいてＭＣＣＨをベアラするＰＭＣＨが存在しないことを確認すること、を含み、
前記ＭＣＣＨをベアラするＰＭＣＨが存在しないことは、ＭＣＣＨをベアラするＰＭＣＨの数が０であり、または、ＰＭＣＨの数がＮであるが、Ｎ個のＰＭＣＨがいずれもＭＣＣＨをベアラせず、Ｎが１以上の正の整数であることを指している請求項１に記載のデータ送信方法。
【請求項３】
システム情報ブロックメッセージを送信する前に、ｅＮＢがマルチセル／マルチキャスト協調エンティティ（ＭＣＥ）のコンフィギュレーション更新メッセージを受信することをさらに含み、
前記システム情報ブロックメッセージを送信することは、エアインターフェースを介してシステム情報ブロックメッセージを送信することを含み、
前記システム情報ブロックメッセージの内容は、前記Ｍ２セットアップ応答メッセージ、ｅＮＢコンフィギュレーション更新応答メッセージ及び前記ＭＣＥコンフィギュレーション更新メッセージのうち、メッセージ時間が新しい一つのメッセージに基づいて構成される、
請求項２に記載のデータ送信方法。
【請求項４】
データ送信方法であって、
ユーザ装置（ＵＥ）がシステム情報ブロックメッセージとＭＢＳＦＮのエリアコンフィギュレーションメッセージを受信することを含み、
前記ＭＢＳＦＮのエリアコンフィギュレーションメッセージの内容は、ｅＮＢによって前記システム情報ブロックメッセージに基づいて構成され、前記ＭＢＳＦＮのエリアコンフィギュレーションメッセージがＰＭＣＨの数がＮ＋１であることを指示し、Ｎが０以上の整数であり、一つのＰＭＣＨがＭＣＣＨをベアラし、ＭＣＣＨをベアラするＰＭＣＨに含まれているＭＢＭＳセッションの数が０である、前記データ送信方法。
【請求項５】
データ送信方法であって、
ＭＣＥが、ＭＣＣＨをベアラするＰＭＣＨが存在しないことを指示するメッセージを送信することと、
前記メッセージの応答メッセージを受信することと、
を含む前記データ送信方法。
【請求項６】
前記ＭＣＣＨをベアラするＰＭＣＨが存在しないことを指示するメッセージは、ＭＢＭＳスケジューリング情報指示メッセージであり、
前記メッセージの応答メッセージは、ＭＢＭＳスケジューリング情報指示応答メッセージである請求項５に記載のデータ送信方法。
【請求項７】
ＭＣＥが、ＭＣＣＨをベアラするＰＭＣＨが存在しないことを指示するメッセージを送信する前に、
ＭＣＥはＭ２セットアップリクエストメッセージを受信し、Ｍ２セットアップ応答メッセージを送信すること、または、
ＭＣＥがｅＮＢコンフィギュレーション更新メッセージを受信し、ｅＮＢコンフィギュレーション更新応答メッセージを送信すること、または、
ＭＣＥがＭＣＥコンフィギュレーション更新メッセージを送信し、ＭＣＥコンフィギュレーション更新応答メッセージを受信すること、
をさらに含む請求項５に記載のデータ送信方法。
【請求項８】
基地局であって、
ＭＣＣＨをベアラするＰＭＣＨが存在するか否かを確認するように構成される第１確認モジュールと、
第１確認モジュールが、ＭＣＣＨをベアラするＰＭＣＨが存在しないことを確認した場合、システム情報ブロックメッセージを送信するように構成される第１送信モジュールと、
前記システム情報ブロックメッセージに基づき、ＭＢＳＦＮのエリアコンフィギュレーションメッセージを構成するように構成される構成モジュールと、
前記システム情報ブロックメッセージに基づく構成、またはＭＢＳＦＮのエリアコンフィギュレーションメッセージの構成に基づいて、データのスケジューリングを行うように構成される処理モジュールと、
前記ＭＢＳＦＮのエリアコンフィギュレーションメッセージを送信するように構成される第２送信モジュールと、
を含む前記基地局。
【請求項９】
前記基地局はさらに、第１受信モジュールを含み、前記確認モジュールがＭＣＣＨをベアラするＰＭＣＨが存在しないことを確認する場合、
前記第１受信モジュールは、Ｍ２セットアップ応答メッセージを受信するように構成され、または、
前記第１受信モジュールはさらに、ＭＢＭＳスケジューリング情報指示メッセージを受信するように構成され、前記ＭＢＭＳスケジューリング情報指示メッセージはＭＣＣＨをベアラするＰＭＣＨが存在しないことを指示し、前記ＭＣＣＨをベアラするＰＭＣＨが存在しないことは、ＭＣＣＨをベアラするＰＭＣＨの数が０であり、または、ＰＭＣＨの数がＮであるが、Ｎ個のＰＭＣＨがいずれもＭＣＣＨをベアラせず、Ｎが１以上の正の整数であることを指している請求項８に記載の基地局。
【請求項１０】
前記第１受信モジュールはさらに、ＭＣＥコンフィギュレーション更新メッセージを受信するように構成され、前記第１送信モジュールは、エアインターフェースを介して、システム情報ブロックメッセージを送信するように構成され、
前記システム情報ブロックメッセージの内容は、前記Ｍ２セットアップ応答メッセージ、ｅＮＢコンフィギュレーション更新応答メッセージと前記ＭＣＥコンフィギュレーション更新メッセージのうち、メッセージ時間が新しい一つのメッセージに基づいて構成を行う請求項９に記載の基地局。
【請求項１１】
ユーザ装置（ＵＥ）であって、
システム情報ブロックメッセージを受信するように構成される第２受信モジュールと、
ＭＢＳＦＮのエリアコンフィギュレーションメッセージを受信するように構成される第３受信モジュールとを含み、
前記ＭＢＳＦＮのエリアコンフィギュレーションメッセージの内容は、ｅＮＢによって前記システム情報ブロックメッセージに基づいて構成され、前記ＭＢＳＦＮのエリアコンフィギュレーションメッセージがＰＭＣＨの数がＮ＋１であることを指示し、Ｎが０以上の整数であり、一つのＰＭＣＨがＭＣＣＨをベアラし、ＭＣＣＨをベアラするＰＭＣＨに含まれているＭＢＭＳセッションの数が０である、
前記ユーザ装置。
【請求項１２】
マルチセル／マルチキャスト協調エンティティ（ＭＣＥ）であって、
ＭＣＣＨをベアラするＰＭＣＨが存在しないことを指示するメッセージを送信するように構成される第３送信モジュールと、
前記メッセージの応答メッセージを受信するように構成される第４受信モジュールと、
を含む前記マルチセル／マルチキャスト協調エンティティ。
【請求項１３】
前記ＭＣＣＨをベアラするＰＭＣＨが存在しないことを指示するメッセージは、ＭＢＭＳスケジューリング情報指示メッセージであり、
前記メッセージの応答メッセージは、ＭＢＭＳスケジューリング情報指示応答メッセージである、
請求項１２に記載のマルチセル／マルチキャスト協調エンティティ。
【請求項１４】
前記マルチセル／マルチキャスト協調エンティティはさらに、
Ｍ２セットアップ応答メッセージを送信するように構成される第４送信モジュールと、
Ｍ２セットアップリクエストメッセージを受信するように構成される第５受信モジュールとを含み、または、
ｅＮＢコンフィギュレーション更新応答メッセージを送信するよう構成される第４送信モジュールと、
ｅＮＢコンフィギュレーション更新メッセージを受信するように構成される第５受信モジュールとを含み、または、
ＭＣＥコンフィギュレーション更新メッセージを送信するように構成される第４送信モジュールと、
ＭＣＥコンフィギュレーション更新応答メッセージを受信するように構成される第５受信モジュールと、
を含む請求項１２に記載のマルチセル／マルチキャスト協調エンティティ。
【請求項１５】
コンピュータ記憶媒体であって、
請求項１〜３のいずれか１項に記載のデータ送信方法を実行するためのコンピュータ実行可能な命令を記憶している前記コンピュータ記憶媒体。
【請求項１６】
コンピュータ記憶媒体であって、
請求項４に記載のデータ送信方法を実行するためのコンピュータ実行可能な命令を記憶している前記コンピュータ記憶媒体。
【請求項１７】
コンピュータ記憶媒体であって、
請求項５〜７のいずれか１項に記載のデータ送信方法を実行するためのコンピュータ実行可能な命令を記憶している前記コンピュータ記憶媒体。
【発明の詳細な説明】
【技術分野】
【０００１】
本発明は移動通信のシグナル処理技術に関し、特にデータ送信方法、装置及び記憶媒体に関する。
【背景技術】
【０００２】
モバイルインターネットと大画面移動端末の発展に伴い、ますます多くの移動端末ユーザは移動端末側で例えば、ビデオ会議、ライブストリーミング、オンライン教育などのマルチメディアの情報サービスの処理を行う。マルチメディア情報サービスは普通のデータサービスと比べて、帯域幅の占有が多く、持続時間が長く、遅延の要件に敏感し、伝送内容が比較的に固定されるという特徴がある。有効にスペクトルリソースを利用するために、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）がマルチメディアブロードキャストとマルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）を提出し、ＭＢＭＳサービスは１対多のサービスであり、即ち、一個のデータソースに対し、データ受信ターゲットは複数である。ＭＢＭＳサービスはネットワークリソースの共有が実現でき、無線による周波数領域リソースへのアクセスの利用率を向上する。
【０００３】
ロングタームエボリューション（ＬＴＥ：Ｌｏｎｇ  Ｔｅｒｍ  Ｅｖｏｌｕｔｉｏｎ）システムにおいて、ＭＢＭＳサービスは進化したマルチメディアブロードキャストとマルチキャストサービス（ｅＭＢＭＳ：ｅｖｏｌｕｔｅｄ−Ｍｕｌｔｉｍｅｄｉａ  Ｂｒｏａｄｃａｓｔ  Ｍｕｌｔｉｃａｓｔ  Ｓｅｒｖice）と称する。
【０００４】
ｅＭＢＭＳサービスにおいて、３ＧＰＰ  ＴＳ３６３００プロトコルによれば、進化した基地局（ｅＮＢ：ｅｖｏｌｖｅｄ  ＮｏｄｅＢ）側のマルチキャストコントロールチャネル（ＭＣＣＨ：Ｍｕｌｔｉｃａｓｔ  Ｃｏｎｔｒｏｌ  Ｃｈａｎｎｅｌ）とマルチキャストトラフィックチャネル（ＭＴＣＨ：Ｍｕｌｔｉｃａｓｔ  Ｔｒａｎｓｍｉｓｓｉｏｎ  Ｃｈａｎｎｅｌ）がマルチキャストチャネル（ＭＣＨ：Ｍｕｌｔｉｃａｓｔ  Ｃｈａｎｎｅｌ）に多重化され、ＭＣＨが物理マルチキャストチャネル（ＰＭＣＨ：Ｐｈｙｓｉｃａｌ  Ｍｕｌｔｉｃａｓｔ  Ｃｈａｎｎｅｌ）にマッピングしているため、ＭＣＣＨとＭＴＣＨがＰＭＣＨに多重化される。ｅＮＢ側にＭＣＣＨをベアラするＰＭＣＨが存在しない場合、ｅＮＢ側がＰＭＣＨのデータ送信を停止し、さらにＭＣＣＨのデータが送信されることができないことを招く。
【発明の概要】
【０００５】
これを鑑み、本発明の実施例はデータ送信方法、装置及び記憶媒体を提供し、ｅＮＢ側にＭＣＣＨをベアラするＰＭＣＨが存在しない場合、ＭＣＣＨのデータが正常に送信されることができることを実現する。
【０００６】
本発明の実施例の技術案は下記のように実現される。
【０００７】
本発明の実施例はデータ送信方法を提供し、前記データ送信方法は、ｅＮＢは、ＭＣＣＨをベアラするＰＭＣＨが存在しないことを確認した場合、システム情報ブロック（Ｓｙｓｔｅｍ  Ｉｎｆｏｒｍａｔｉｏｎ  Ｂｌｏｃｋ）メッセージを送信することと、前記Ｓｙｓｔｅｍ  Ｉｎｆｏｒｍａｔｉｏｎ  Ｂｌｏｃｋメッセージに基づき、マルチメディア・ブロードキャスト・マルチキャスト・シングル周波数・ネットワーク（ＭＢＳＦＮ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）のエリアコンフィギュレーション（Ａｒｅａ  Ｃｏｎｆｉｇｕｒａｔｉｏｎ）メッセージを構成することと、前記Ｓｙｓｔｅｍ  Ｉｎｆｏｒｍａｔｉｏｎ  Ｂｌｏｃｋメッセージの構成、または前記ＭＢＳＦＮ  Ａｒｅａ  Ｃｏｎｆｉｇｕｒａｔｉｏｎメッセージの構成に基づき、データのスケジューリングを行うことと、前記ＭＢＳＦＮ  Ａｒｅａ  Ｃｏｎｆｉｇｕｒａｔｉｏｎメッセージを送信することと、含む。
【０００８】
一つの実施例において、前記ＭＣＣＨをベアラするＰＭＣＨが存在しないことを確認することは、ｅＮＢがＭ２セットアップ応答（ＳＥＴＵＰ  ＲＥＳＰＯＮＳＥ）メッセージを受信し、ＭＢＭＳスケジューリング情報（ＳＣＨＥＤＵＬＩＮＧ  ＩＮＦＯＲＭＡＴＩＯＮ）メッセージが受信されていない場合、ＭＣＣＨをベアラするＰＭＣＨが存在しないと確認すること、または、ｅＮＢがＭＢＭＳ  ＳＣＨＥＤＵＬＩＮＧ  ＩＮＦＯＲＭＡＴＩＯＮメッセージを受信し、前記ＭＢＭＳ  ＳＣＨＥＤＵＬＩＮＧ  ＩＮＦＯＲＭＡＴＩＯＮメッセージに基づいてＭＣＣＨをベアラするＰＭＣＨが存在しないことを確認すること、を含む。
【０００９】
一つの実施例において、Ｓｙｓｔｅｍ  Ｉｎｆｏｒｍａｔｉｏｎ  Ｂｌｏｃｋメッセージを送信する前に、前記データ送信方法はさらに、ｅＮＢはマルチセル／マルチキャスト協調エンティティ（ＭＣＥ：Ｍｕｌｔｉ−ｃｅｌｌ／ｍｕｌｔｉｃａｓｔ  Ｃｏｏｒｄｉｎａｔｉｏｎ  Ｅｎｔｉｔｙ）のコンフィギュレーション更新（ＣＯＮＦＩＧＵＲＡＴＩＯＮ  ＵＰＤＡＴＥ）メッセージを受信することを含み、それに応じて、前記Ｓｙｓｔｅｍ  Ｉｎｆｏｒｍａｔｉｏｎ  Ｂｌｏｃｋメッセージを送信することは、エアインターフェースを介してＳｙｓｔｅｍ  Ｉｎｆｏｒｍａｔｉｏｎ  Ｂｌｏｃｋメッセージを送信することを含み、ここで、前記Ｓｙｓｔｅｍ  Ｉｎｆｏｒｍａｔｉｏｎ  Ｂｌｏｃｋメッセージの内容は、前記Ｍ２  ＳＥＴ  ＵＰ  ＲＥＳＰＯＮＳＥメッセージ、前記ｅＮＢコンフィギュレーション更新応答（ＣＯＮＦＩＧＵＲＡＴＩＯＮ  ＵＰＤＡＴＥ  ＡＣＫＮＯＷＬＥＤＧＥ）メッセージ及び前記ＭＣＥ  ＣＯＮＦＩＧＵＲＡＴＩＯＮ  ＵＰＤＡＴＥメッセージのうち、メッセージ時間が新しい一つのメッセージに基づいて構成される。
【００１０】
本発明の実施例はさらに、データ送信方法を提供し、前記データ送信方法は、ＵＥがＳｙｓｔｅｍ  Ｉｎｆｏｒｍａｔｉｏｎ  ＢｌｏｃｋメッセージとＭＢＳＦＮ  Ａｒｅａ  Ｃｏｎｆｉｇｕｒａｔｉｏｎメッセージを受信することを含み、
ここで、前記ＭＢＳＦＮ  Ａｒｅａ  Ｃｏｎｆｉｇｕｒａｔｉｏｎメッセージの内容は、ＵＥによって前記Ｓｙｓｔｅｍ  Ｉｎｆｏｒｍａｔｉｏｎ  Ｂｌｏｃｋメッセージに基づいて構成され、前記ＭＢＳＦＮ  Ａｒｅａ  ＣｏｎｆｉｇｕｒａｔｉｏｎメッセージがＰＭＣＨの数がＮ＋１であることを指示し、ここで、一つのＰＭＣＨがＭＣＣＨをベアラし、ＭＣＣＨをベアラするＰＭＣＨに含まれているＭＢＭＳセッションの数が０である。
【００１１】
本発明の実施例はさらに、データ送信方法を提供し、前記データ送信方法は、ＭＣＥが、ＭＣＣＨをベアラするＰＭＣＨが存在しないことを指示するメッセージを送信することと、前記メッセージの応答メッセージを受信することと、を含む。
【００１２】
一つの実施例において、前記ＭＣＣＨをベアラするＰＭＣＨが存在しないことを指示するメッセージは、ＭＢＭＳ  ＳＣＨＥＤＵＬＩＮＧ  ＩＮＦＯＲＭＡＴＩＯＮメッセージであり、それに応じて、前記メッセージの応答メッセージは、ＭＢＭＳ  ＳＣＨＥＤＵＬＩＮＧ  ＩＮＦＯＲＭＡＴＩＯＮ  ＲＥＳＰＯＮＳＥメッセージである。
【００１３】
一つの実施例において、ＭＣＥがＭＣＣＨをベアラするＰＭＣＨが存在しないことを指示するメッセージを送信する前に、前記データ送信方法はさらに、ＭＣＥはＭ２  ＳＥＴ  ＵＰ  ＲＥＱＵＥＳＴメッセージを受信し、Ｍ２  ＳＥＴ  ＵＰ  ＲＥＳＰＯＮＳＥメッセージを送信すること、またはＭＣＥがｅＮＢコンフィギュレーション更新メッセージを受信し、ｅＮＢコンフィギュレーション更新応答メッセージを送信すること、または、ＭＣＥがＭＣＥ  ＣＯＮＦＩＧＵＲＡＴＩＯＮ  ＵＰＤＡＴＥメッセージを送信し、ＭＣＥ  ＣＯＮＦＩＧＵＲＡＴＩＯＮ  ＵＰＤＡＴＥ  ＡＣＫＮＯＷＬＥＤＧＥメッセージを受信することを含む。
【００１４】
本発明の実施例はさらに、ｅＮＢを提供し、前記ｅＮＢは、確認モジュール、第１送信モジュール、構成モジュール、処理モジュールおよび第２送信モジュールを含み、
前記確認モジュールは、ＭＣＣＨをベアラするＰＭＣＨが存在するか否かを確認するように構成され、
前記第１送信モジュールは、確認モジュールがＭＣＣＨをベアラするＰＭＣＨが存在しないことを確認した場合、Ｓｙｓｔｅｍ  Ｉｎｆｏｒｍａｔｉｏｎ  Ｂｌｏｃｋメッセージを送信するように構成され、
前記構成モジュールは、Ｓｙｓｔｅｍ  Ｉｎｆｏｒｍａｔｉｏｎ  Ｂｌｏｃｋメッセージに基づき、ＭＢＳＦＮ  Ａｒｅａ  Ｃｏｎｆｉｇｕｒａｔｉｏｎメッセージを構成するように構成され、
前記処理モジュールは、前記Ｓｙｓｔｅｍ  Ｉｎｆｏｒｍａｔｉｏｎ  Ｂｌｏｃｋメッセージに基づく構成、またはＭＢＳＦＮ  Ａｒｅａ  Ｃｏｎｆｉｇｕｒａｔｉｏｎメッセージの構成に基づいて、データのスケジューリングを行うように構成され、
前記第２送信モジュールは、前記ＭＢＳＦＮ  Ａｒｅａ  Ｃｏｎｆｉｇｕｒａｔｉｏｎメッセージを送信するように構成される。
【００１５】
一つの実施例において、前記ｅＮＢはさらに、第１受信モジュールを含み、前記確認モジュールがＭＣＣＨをベアラするＰＭＣＨが存在しないことを確認する場合、前記第１受信モジュールは、Ｍ２  ＳＥＴ  ＵＰ  ＲＥＳＰＯＮＳＥメッセージを受信するように構成され、または、前記第１受信モジュールはさらに、ＭＢＭＳ  ＳＣＨＥＤＵＬＩＮＧ  ＩＮＦＯＲＭＡＴＩＯＮメッセージを受信するように構成され、前記ＭＢＭＳ  ＳＣＨＥＤＵＬＩＮＧ  ＩＮＦＯＲＭＡＴＩＯＮメッセージはＭＣＣＨをベアラするＰＭＣＨが存在しないことを指示する。
【００１６】
一つの実施例において、前記第１受信モジュールはさらに、ＭＣＥ  ＣＯＮＦＩＧＵＲＡＴＩＯＮ  ＵＰＤＡＴＥメッセージを受信するように構成され、それに応じて、前記第１送信モジュールは、具体的にエアインターフェースを介して、Ｓｙｓｔｅｍ  Ｉｎｆｏｒｍａｔｉｏｎ  Ｂｌｏｃｋメッセージを送信するように構成され、ここで、
前記Ｓｙｓｔｅｍ  Ｉｎｆｏｒｍａｔｉｏｎ  Ｂｌｏｃｋの内容は、前記Ｍ２  ＳＥＴＵＰ  ＲＥＳＰＯＮＳＥメッセージ、前記ｅＮＢ  ＣＯＮＦＩＧＵＲＡＴＩＯＮ  ＵＰＤＡＴＥ  ＡＣＫＮＯＷＬＥＤＧＥメッセージと前記ＭＣＥ  ＣＯＮＦＩＧＵＲＡＴＩＯＮ  ＵＰＤＡＴＥのうち、メッセージ時間が新しい一つのメッセージに基づいて構成される。
【００１７】
本発明の実施例はさらに、ＵＥを提供して、前記ＵＥは、第２受信モジュールと第３受信モジュールを含み、ここで、
前記第２受信モジュールは、Ｓｙｓｔｅｍ  Ｉｎｆｏｒｍａｔｉｏｎ  Ｂｌｏｃｋメッセージを受信するように構成され、
前記第３受信モジュールは、ＭＢＳＦＮ  Ａｒｅａ  Ｃｏｎｆｉｇｕｒａｔｉｏｎメッセージを受信するように構成され、
前記ＭＢＳＦＮ  Ａｒｅａ  Ｃｏｎｆｉｇｕｒａｔｉｏｎメッセージの内容は、ＵＥによって前記Ｓｙｓｔｅｍ  Ｉｎｆｏｒｍａｔｉｏｎ  Ｂｌｏｃｋメッセージに基づいて構成され、前記ＭＢＳＦＮ  Ａｒｅａ  ＣｏｎｆｉｇｕｒａｔｉｏｎメッセージがＰＭＣＨの数がＮ＋１であることを指示し、ここで、一つのＰＭＣＨがＭＣＣＨをベアラし、ＭＣＣＨをベアラするＰＭＣＨに含まれるＭＢＭＳセッションの数が０である。
【００１８】
本発明の実施例はさらに、ＭＣＥを提供し、前記ＭＣＥは、第３送信モジュールと第４受信モジュールを含み、ここで、
前記第３送信モジュールは、ＭＣＣＨをベアラするＰＭＣＨが存在しないことを指示するメッセージを送信するように構成され、
前記第４受信モジュールは、前記メッセージの応答メッセージを受信するように構成される。
【００１９】
一つの実施例において、前記ＭＣＣＨをベアラするＰＭＣＨが存在しないことを指示するメッセージは、ＭＢＭＳ  ＳＣＨＥＤＵＬＩＮＧ  ＩＮＦＯＲＭＡＴＩＯＮメッセージであり、それに応じて、前記メッセージの応答メッセージは、ＭＢＭＳ  ＳＣＨＥＤＵＬＩＮＧ  ＩＮＦＯＲＭＡＴＩＯＮ  ＲＥＳＰＯＮＳＥメッセージである。
【００２０】
一つの実施例において、前記マルチセル／マルチキャスト協調エンティティはさらに、第４送信モジュールと第５受信モジュールを含み、ここで、
前記第４送信モジュールは、Ｍ２  ＳＥＴ  ＵＰ  ＲＥＳＰＯＮＳＥメッセージを送信するように構成され、前記第５受信モジュールは、Ｍ２  ＳＥＴ  ＵＰ  ＲＥＱＵＥＳＴメッセージを受信するように構成され、または、前記第４送信モジュールは、ｅＮＢ  ＣＯＮＦＩＧＵＲＡＴＩＯＮ  ＵＰＤＡＴＥ  ＡＣＫＮＯＷＬＥＤＧＥメッセージを送信するよう構成され、前記第５受信モジュールは、ｅＮＢ  ＣＯＮＦＩＧＵＲＡＴＩＯＮ  ＵＰＤＡＴＥメッセージを受信するように構成され、または、前記第４送信モジュールはＭＣＥ  ＣＯＮＦＩＧＵＲＡＴＩＯＮ  ＵＰＤＡＴＥメッセージを送信するように構成され、前記第５受信モジュールはＭＣＥ  ＣＯＮＦＩＧＵＲＡＴＩＯＮ  ＵＰＤＡＴＥ  ＡＣＫＮＯＷＬＥＤＧＥメッセージを受信するように構成される。
【００２１】
本発明の実施例はさらに、コンピュータ記憶媒体を提供し、前記コンピュータ記憶媒体はコンピュータプログラムを記憶し、該コンピュータプログラムが本発明の実施例の上記データ送信方法を実行することに用いられる。
【００２２】
本発明の実施例に提供されるデータ送信方法、装置、及び記憶媒体において、ＭＣＥはｅＮＢにＭＣＣＨをベアラするＰＭＣＨが存在しないことを指示するメッセージを送信し、ｅＮＢはＭＣＣＨをベアラするＰＭＣＨが存在しないことを確認した場合、ＭＣＥに前記メッセージの応答メッセージを送信し、またＵＥにＳｙｓｔｅｍ  Ｉｎｆｏｒｍａｔｉｏｎ  Ｂｌｏｃｋメッセージを送信し、ＵＥはＳｙｓｔｅｍ  Ｉｎｆｏｒｍａｔｉｏｎ  Ｂｌｏｃｋメッセージを受信し、ｅＮＢはＳｙｓｔｅｍ  Ｉｎｆｏｒｍａｔｉｏｎ  Ｂｌｏｃｋメッセージに基づいてＭＢＳＦＮ  Ａｒｅａ  Ｃｏｎｆｉｇｕｒａｔｉｏｎメッセージを構成し、前記Ｓｙｓｔｅｍ  Ｉｎｆｏｒｍａｔｉｏｎ  ＢｌｏｃｋメッセージまたはＭＢＳＦＮ  Ａｒｅａ  Ｃｏｎｆｉｇｕｒａｔｉｏｎメッセージの構成に基づいてデータのスケジューリングを行い、前記ＭＢＳＦＮ  Ａｒｅａ  ＣｏｎｆｉｇｕｒａｔｉｏｎメッセージをＵＥに送信する。本発明の実施例において、ｅＮＢは、ＭＣＣＨをベアラするＰＭＣＨが存在しないことを確認した場合、ＭＣＣＨのデフォルト送信メカニズムを採用し、即ち、ＵＥにＳｙｓｔｅｍ  Ｉｎｆｏｒｍａｔｉｏｎ  ＢｌｏｃｋメッセージとＭＢＳＦＮ  Ａｒｅａ  Ｃｏｎｆｉｇｕｒａｔｉｏｎメッセージを送信し、前記ＭＢＳＦＮ  Ａｒｅａ  ＣｏｎｆｉｇｕｒａｔｉｏｎメッセージがＰＭＣＨの数がＮ＋１であることを指示し、ここで、第１個から第Ｎ個までのＰＭＣＨがすべてＭＣＣＨをベアラせず、第Ｎ＋１個のＰＭＣＨに含まれているＭＢＭＳセッションの数は０であり、これによってＭＣＣＨをベアラするＰＭＣＨが存在しない場合、ＭＣＣＨのデータを正常に送信することを可能にする。
【図面の簡単な説明】
【００２３】
【図１】ＬＴＥ  ｅＭＢＭＳサービスにおけるサービスエリア、同期エリア、ＭＢＳＦＮエリアの配置を示す図である。
【図２】ＬＴＥ  ｅＭＢＭＳサービスにおけるロジックアーキテクチャ図である。
【図３】本発明の実施例におけるｅＮＢ側のデータ送信方法の基本的な処理フローチャートである。
【図４】ＬＴＥ  ｅＭＢＭＳサービスにおけるスケジューリング情報構成を示す図である。
【図５】本発明の実施例におけるＵＥ側のデータ送信方法の基本的な処理フローチャートである。
【図６】本発明の実施例におけるＭＣＥ側のデータ送信方法の基本的な処理フローチャートである。
【図７】本発明の実施例１におけるデータ送信方法の詳細処理フローチャートである。
【図８】本発明の実施例２におけるデータ送信方法の詳細処理フローチャートである。
【図９】本発明の実施例３におけるデータ送信方法の詳細処理フローチャートである。
【図１０】本発明の実施例４におけるデータ送信方法の詳細処理フローチャートである。
【図１１】本発明の実施例におけるｅＮＢの構成構造を示す図である。
【図１２】本発明の実施例におけるＵＥの構成構造を示す図である。
【図１３】本発明の実施例におけるＭＣＥの構成構造を示す図である。
【発明を実施するための形態】
【００２４】
本発明の実施例において、ＭＣＥはｅＮＢにＭＣＣＨをベアラするＰＭＣＨが存在しないことを指示するメッセージを送信し、ｅＮＢはＭＣＣＨをベアラするＰＭＣＨが存在しないことを確認した場合、ＭＣＥに前記メッセージの応答メッセージを送信し、またＵＥにＳｙｓｔｅｍ  Ｉｎｆｏｒｍａｔｉｏｎ  Ｂｌｏｃｋメッセージを送信し、ＵＥはＳｙｓｔｅｍ  Ｉｎｆｏｒｍａｔｉｏｎ  Ｂｌｏｃｋメッセージを受信し、ｅＮＢはＳｙｓｔｅｍ  Ｉｎｆｏｒｍａｔｉｏｎ  Ｂｌｏｃｋメッセージに基づいてＭＢＳＦＮ  Ａｒｅａ  Ｃｏｎｆｉｇｕｒａｔｉｏｎメッセージを構成し、前記Ｓｙｓｔｅｍ  Ｉｎｆｏｒｍａｔｉｏｎ  ＢｌｏｃｋメッセージまたはＭＢＳＦＮ  Ａｒｅａ  Ｃｏｎｆｉｇｕｒａｔｉｏｎメッセージの構成に基づいてデータのスケジューリングを行い、かつ前記ＭＢＳＦＮ  Ａｒｅａ  ＣｏｎｆｉｇｕｒａｔｉｏｎメッセージをＵＥに送信する。
【００２５】
本発明の実施例の技術案をよりよく理解するために、下記でＬＴＥ  ｅＭＢＭＳサービスを詳しく紹介する。図１は、ＬＴＥ  ｅＭＢＭＳサービスエリア、同期エリア、ＭＢＳＦＮエリアの配置を示す図であり、図２は、ＬＴＥ  ｅＭＢＭＳサービスにおけるロジックアーキテクチャ図である。ここで、Ｍ１はユーザプレーンインターフェースであり、Ｍ２はＥ−ＵＴＲＡＮ内部制御プレーンインターフェースであり、Ｍ３はＥ−ＵＴＲＡＮとＥＰＣの制御プレーンインターフェースであり、ＭＢＭＳ  ＧＷはＭＢＭＳゲートウェイであり、ＭＣＥはＭＢＭＳセッションの管理を担当し、ＭＢＭＳセッションの受け入れ制御、時間ドメインにおける無線リソースの割り当て、ＭＢＳＦＮエリア内の各セルのＭＢＭＳデータの協調送信、各チャネルの変調符号化方式パラメータなどの無線構成などを含む。
【００２６】
ＬＴＥ  ｅＭＢＭＳサービスにおいて、各ＭＢＳＦＮエリアに一つのＭＣＣＨ、０個または複数個のＭＴＣＨがあり、ＭＴＣＨが同一または異なるＭＣＨに多重化され、ここで、各ＭＴＣＨは一つのＭＢＭＳセッションに対応している。
【００２７】
ＬＴＥ  ｅＭＢＭＳサービスにおいて、制御プレーンに関するインターフェースはインターフェースＭ３とインターフェースＭ２を含む。ここで、インターフェースＭ３はモビリティ管理エンティティ（ＭＭＥ：Ｍｏｂｉｌｉｔｙ）とＭＣＥとの間のインターフェースであり、インターフェースＭ２はＭＣＥとｅＮＢとの間のインターフェースである。ＭＣＥはインターフェースＭ２を介して相関構成パラメータをｅＮＢに送信し、ｅＮＢは受信された相関構成パラメータに基づいて、Ｓｙｓｔｅｍ  Ｉｎｆｏｒｍａｔｉｏｎ  Ｂｌｏｃｋ  Ｔｙｐｅ２メッセージ、Ｓｙｓｔｅｍ  Ｉｎｆｏｒｍａｔｉｏｎ  Ｂｌｏｃｋ  Ｔｙｐｅ１３メッセージ、ＭＢＳＦＮ  Ａｒｅａ  Ｃｏｎｆｉｇｕｒａｔｉｏｎメッセージへの書き込み、及びＭＢＭＳデータのスケジューリングと送信を行う。ここで、Ｓｙｓｔｅｍ  Ｉｎｆｏｒｍａｔｉｏｎ  Ｂｌｏｃｋ  Ｔｙｐｅ１３メッセージは、セルのＭＣＣＨの相関構成及びＭＣＣＨが位置している（ＭＣＣＨの所在）ＭＢＳＦＮサブフレームの割り当て情報を指示する。ＭＢＳＦＮ  Ａｒｅａ  Ｃｏｎｆｉｇｕｒａｔｉｏｎメッセージは、ＭＣＣＨの具体的な内容を指示し、セル内のＭＢＳＦＮエリアの公共サブフレームの割り当て情報、ＰＭＣＨの構成情報、各ＭＴＣＨの情報などを含む。
【００２８】
ＬＴＥ  ｅＭＢＭＳサービスにおいて、ｅＮＢ側にＭＣＣＨをベアラするＰＭＣＨが存在しない原因によってＭＣＣＨのデータが送信されることができない場面は、１．ｅＮＢとＭＣＥがインターフェースＭ２の確立を完了してｅＮＢがＭＣＥにより送信されたＭＢＭＳ  ＳＣＨＥＤＵＬＩＮＧ  ＩＮＦＯＲＭＡＴＩＯＮを受信する前、２．ＭＣＥ側において、ＭＣＣＨをベアラするＰＭＣＨにいかなるＭＢＭＳセッションが存在しない、またはＭＣＥ側にいかなるＭＢＭＳセッションが存在しない場合である。ｅＮＢ側にＭＣＣＨをベアラするＰＭＣＨが存在しない原因によってＭＣＣＨのデータが送信することができない原因は、３ＧＰＰ  ＴＳ３６４４３−ｂ３０  ９．１．７章の規範によれば、インターフェースＭ２を介して送信されたＭＢＭＳ  ＳＣＨＥＤＵＬＩＮＧ  ＩＮＦＯＲＭＡＴＩＯＮメッセージが、ＰＭＣＨにＭＢＭＳセッション数が０であるケースをサポートしていないことであることであり、仮にあるＰＭＣＨにベアラされてＭＣＣＨが送信を行う場合、但し該ＰＭＣＨにいかなるＭＢＭＳセッションが存在せず、ＭＣＥがこの情報をｅＮＢに通知する時に、ＭＢＭＳ  ＳＣＨＥＤＵＬＩＮＧ  ＩＮＦＯＲＭＡＴＩＯＮメッセージに該ＰＭＣＨの情報を含める必要があり、また該ＰＭＣＨにＭＴＣＨの数が０である。しかし、それは３ＧＰＰ  ＴＳ３６４４３−ｂ３０プロトコルにおいてＭＢＭＳ  ＳＣＨＥＤＵＬＩＮＧ  ＩＮＦＯＲＭＡＴＩＯＮに含まれている最小セッション数が１であるという規定と矛盾している。そのため、ＭＣＥ側においてＭＣＣＨをベアラするＰＭＣＨにいかなるＭＴＣＨが存在しない場合、インターフェースＭ２を介して送信されたＭＢＭＳ  ＳＣＨＥＤＵＬＩＮＧ  ＩＮＦＯＲＭＡＴＩＯＮメッセージに該ＰＭＣＨの情報を含めることができない。
【００２９】
本発明の実施例において、ｅＮＢ側のデータ送信方法の基本的な処理フローは図３に示すように、下記のステップを含む。
【００３０】
ステップ１０１において、ｅＮＢはＭＣＣＨをベアラするＰＭＣＨが存在しないことを確認した場合、Ｓｙｓｔｅｍ  Ｉｎｆｏｒｍａｔｉｏｎ  Ｂｌｏｃｋメッセージを送信する。
【００３１】
ここで、ＭＣＣＨをベアラするＰＭＣＨが存在しないことは、ＰＭＣＨの数がＮであるが、Ｎ個のＰＭＣＨがいずれもＭＣＣＨをベアラせず、Ｎが０以上の整数であることを指している。
【００３２】
具体的に、ｅＮＢがＭＣＣＨをベアラするＰＭＣＨが存在しないことを確認することは、ｅＮＢがＭＣＥにより送信されたＭ２  ＳＥＴＵＰ  ＲＥＳＰＯＮＳＥメッセージを受信し、ＭＢＭＳのスケジューリング情報指示メッセージが受信されていない場合、ＭＣＣＨをベアラするＰＭＣＨが存在しないと確認すること、またはｅＮＢがＭＣＥにより送信されたＭＢＭＳ  ＳＣＨＥＤＵＬＩＮＧ  ＩＮＦＯＲＭＡＴＩＯＮメッセージを受信し、前記ＭＢＭＳ  ＳＣＨＥＤＵＬＩＮＧ  ＩＮＦＯＲＭＡＴＩＯＮメッセージが、ＭＣＣＨをベアラするＰＭＣＨが存在しないことを指示することを含む。
【００３３】
ｅＮＢがエアインターフェースを介してＵＥにＳｙｓｔｅｍ  Ｉｎｆｏｒｍａｔｉｏｎ  Ｂｌｏｃｋメッセージに送信し、ＭＣＥにより送信されたＭ２  ＳＥＴＵＰ  ＲＥＳＰＯＮＳＥメッセージを受信し、ＭＢＭＳのスケジューリング情報指示メッセージが受信されていない場合、ＭＣＣＨをベアラするＰＭＣＨが存在しないと確認し、前記Ｓｙｓｔｅｍ  Ｉｎｆｏｒｍａｔｉｏｎ  Ｂｌｏｃｋメッセージの内容は前記Ｍ２  ＳＥＴＵＰ  ＲＥＳＰＯＮＳＥメッセージに基づいて構成される。
【００３４】
前記ＭＢＭＳ  ＳＣＨＥＤＵＬＩＮＧ  ＩＮＦＯＲＭＡＴＩＯＮメッセージによってＭＣＣＨをベアラするＰＭＣＨが存在しないことが指示される場合、前記Ｓｙｓｔｅｍ  Ｉｎｆｏｒｍａｔｉｏｎ  Ｂｌｏｃｋメッセージの内容は、前記ＭＣＥ  ＣＯＮＦＩＧＵＲＡＴＩＯＮ  ＵＰＤＡＴＥメッセージに基づいて構成される。
【００３５】
３ＧＰＰ  ＴＳ３６３３１のプロトコル規範によれば、ＵＥがＭＣＣＨの修正期間毎にＭＣＣＨを読み込み、ＵＥの節電のために、ｅＮＢ側においてＳｙｓｔｅｍ  Ｉｎｆｏｒｍａｔｉｏｎ  Ｂｌｏｃｋメッセージ内のＭＣＣＨの修正期間をプロトコル許容の最大値に設定する。ｅＮＢがＭＣＣＨ修正期間をプロトコル許容の最大値に修正するために、ＭＣＥは、ｅＮＢにＭＣＥ  ＣＯＮＦＩＧＵＲＡＴＩＯＮ  ＵＰＤＡＴＥメッセージを送信する。
【００３６】
ここで、前記Ｓｙｓｔｅｍ  Ｉｎｆｏｒｍａｔｉｏｎ  ＢｌｏｃｋメッセージがＳｙｓｔｅｍ  Ｉｎｆｏｒｍａｔｉｏｎ  Ｂｌｏｃｋ  Ｔｙｐｅ１３メッセージであってもよく、本発明の下記の実施例においていずれもＳｙｓｔｅｍ  Ｉｎｆｏｒｍａｔｉｏｎ  ＢｌｏｃｋメッセージがＳｙｓｔｅｍ  Ｉｎｆｏｒｍａｔｉｏｎ  Ｂｌｏｃｋ  Ｔｙｐｅ１３メッセージであることを例として説明する。
【００３７】
ステップ１０２において、前記Ｓｙｓｔｅｍ  Ｉｎｆｏｒｍａｔｉｏｎ  Ｂｌｏｃｋメッセージに基づいてＭＢＳＦＮ  Ａｒｅａ  Ｃｏｎｆｉｇｕｒａｔｉｏｎメッセージを構成する。
【００３８】
ここで、ＭＢＳＦＮ  Ａｒｅａ  Ｃｏｎｆｉｇｕｒａｔｉｏｎメッセージ内のＭＢＳＦＮエリアの公共サブフレーム構成情報の設定、例えばｃｏｍｍｏｎＳＦ−Ａｌｌｏｃ、ｃｏｍｍｏｎＳＦ−ＡｌｌｏｃＰｅｒｉｏｄは、Ｓｙｓｔｅｍ  Ｉｎｆｏｒｍａｔｉｏｎ  Ｂｌｏｃｋのと同じである。ＭＢＳＦＮ  Ａｒｅａ  Ｃｏｎｆｉｇｕｒａｔｉｏｎメッセージ内のＰＭＣＨの数がＮ＋１であり、増やされたＰＭＣＨの構成とＳｙｓｔｅｍ  Ｉｎｆｏｒｍａｔｉｏｎ  Ｂｌｏｃｋメッセージは同様であり、前記増やされたＰＭＣＨに含まれているＭＢＭＳセッションの数が０である。
【００３９】
３ＧＰＰ  ＴＳ３６３３１のプロトコル規範によれば、ＭＢＳＦＮ  Ａｒｅａ  Ｃｏｎｆｉｇｕｒａｔｉｏｎメッセージ内のＭＣＣＨをベアラするＰＭＣＨのスケジューリング期間は、Ｓｙｓｔｅｍ  Ｉｎｆｏｒｍａｔｉｏｎ  Ｂｌｏｃｋメッセージにより指示されたＭＣＣＨ反復期間より大きくてはならないため、同一ＭＣＥのサービスを受ける各ｅＮＢによって送信されるメッセージの内容が一致することを保証するために、ＰＭＣＨのスケジューリング期間をプロトコル許容の最小値に設定し、またはＰＭＣＨのスケジューリング期間をＳｙｓｔｅｍ  Ｉｎｆｏｒｍａｔｉｏｎ  Ｂｌｏｃｋメッセージにより指示されたＭＣＣＨ反復期間と同じ値に設定し、それによって、ｅＮＢ側のスケジューリングリソースを最大限に省くことが可能である。
【００４０】
ステップ１０３において、ｅＮＢは、前記Ｓｙｓｔｅｍ  Ｉｎｆｏｒｍａｔｉｏｎ  Ｂｌｏｃｋメッセージ、またはＭＢＳＦＮ  Ａｒｅａ  Ｃｏｎｆｉｇｕｒａｔｉｏｎメッセージの構成に基づいてデータのスケジューリングを行う。
【００４１】
ステップ１０４において、ｅＮＢは前記ＭＢＳＦＮ  Ａｒｅａ  Ｃｏｎｆｉｇｕｒａｔｉｏｎメッセージを送信する。
【００４２】
具体的に、ｅＮＢは、エアインターフェースを介して、ＵＥに前記ＭＢＳＦＮ  Ａｒｅａ  Ｃｏｎｆｉｇｕｒａｔｉｏｎメッセージを送信し、前記スケジューリング指示情報の構成は、図４に示された通りである。
【００４３】
図５に示すように、本発明の実施例におけるＵＥ側のデータ送信方法の基本的な処理フローは下記のステップを含む。
【００４４】
ステップ２０１において、ＵＥはＳｙｓｔｅｍ  Ｉｎｆｏｒｍａｔｉｏｎ  Ｂｌｏｃｋメッセージを受信する。
【００４５】
具体的に、ＵＥはｅＮＢによりエアインターフェースを介して送信されたＳｙｓｔｅｍ  Ｉｎｆｏｒｍａｔｉｏｎ  Ｂｌｏｃｋメッセージを受信する。
【００４６】
ここで、前記Ｓｙｓｔｅｍ  Ｉｎｆｏｒｍａｔｉｏｎ  Ｂｌｏｃｋメッセージの内容は、前記Ｍ２  ＳＥＴＵＰ  ＲＥＳＰＯＮＳＥメッセージ、前記ｅＮＢ  ＣＯＮＦＩＧＵＲＡＴＩＯＮ  ＵＰＤＡＴＥ  ＡＣＫＮＯＷＬＥＤＧＥメッセージ及びＭＣＥ  ＣＯＮＦＩＧＵＲＡＴＩＯＮ  ＵＰＤＡＴＥメッセージのうち、メッセージ時間が新しい一つのメッセージに基づいて構成され、前記Ｓｙｓｔｅｍ  Ｉｎｆｏｒｍａｔｉｏｎ  ＢｌｏｃｋメッセージのＭＣＣＨの修正期間は３ＧＰＰ  ＴＳ３６３３１プロトコル許容の最大値である。
【００４７】
ここで、前記Ｓｙｓｔｅｍ  Ｉｎｆｏｒｍａｔｉｏｎ  ＢｌｏｃｋメッセージはＳｙｓｔｅｍ  Ｉｎｆｏｒｍａｔｉｏｎ  Ｂｌｏｃｋ  Ｔｙｐｅ１３メッセージであっても良い。
【００４８】
ステップ２０２において、ＵＥはＭＢＳＦＮ  Ａｒｅａ  Ｃｏｎｆｉｇｕｒａｔｉｏｎメッセージを受信する。
【００４９】
具体的に、ＵＥはｅＮＢによりエアインターフェースを介して送信されたＭＢＳＦＮ  Ａｒｅａ  Ｃｏｎｆｉｇｕｒａｔｉｏｎメッセージを受信する。
【００５０】
ここで、ＭＢＳＦＮ  Ａｒｅａ  Ｃｏｎｆｉｇｕｒａｔｉｏｎメッセージ内のＭＢＳＦＮエリアの公共サブフレーム構成情報の設定、例えばｃｏｍｍｏｎＳＦ−Ａｌｌｏｃ、ｃｏｍｍｏｎＳＦ−ＡｌｌｏｃＰｅｒｉｏｄは、Ｓｙｓｔｅｍ  Ｉｎｆｏｒｍａｔｉｏｎ  Ｂｌｏｃｋと同じである。ＭＢＳＦＮ  Ａｒｅａ  Ｃｏｎｆｉｇｕｒａｔｉｏｎメッセージ内のＰＭＣＨの数がＮ＋１であり、ここで、一つのＰＭＣＨがＭＣＣＨをベアラし、ＭＣＣＨをベアラするＰＭＣＨの構成はＳｙｓｔｅｍ  Ｉｎｆｏｒｍａｔｉｏｎ  Ｂｌｏｃｋと同じであり、ＭＣＣＨをベアラするＰＭＣＨに含まれているＭＢＭＳセッションの数は０である。ＭＢＳＦＮ  Ａｒｅａ  Ｃｏｎｆｉｇｕｒａｔｉｏｎメッセージ内のＰＭＣＨのスケジューリング期間は３ＧＰＰ  ＴＳ３６３３１プロトコル許容の最小値であり、またはＰＭＣＨのスケジューリング期間は、Ｓｙｓｔｅｍ  Ｉｎｆｏｒｍａｔｉｏｎ  Ｂｌｏｃｋメッセージに指示されたＭＣＣＨ反復期間と同じ値である。
【００５１】
図６に示すように、本発明の実施例におけるＭＣＥ側のデータ送信方法の基本的な処理フローは下記のステップを含む。
【００５２】
ステップ３０１において、ＭＣＥはＭＣＣＨをベアラするＰＭＣＨが存在しないことを指示するメッセージを送信する。
【００５３】
ここで、前記ＭＣＣＨをベアラするＰＭＣＨが存在しないことを指示するメッセージは、ＭＢＭＳ  ＳＣＨＥＤＵＬＩＮＧ  ＩＮＦＯＲＭＡＴＩＯＮメッセージである。
【００５４】
ＭＣＣＨをベアラするＰＭＣＨが存在しないことは、ＰＭＣＨの数がＮであるが、Ｎ個のＰＭＣＨがいずれもＭＣＣＨをベアラせず、Ｎが０以上の整数であることを指している。
【００５５】
ステップ３０２において、ＭＣＥは前記メッセージの応答メッセージを受信する。
【００５６】
ここで、前記メッセージの応答メッセージは、ＭＢＭＳ  ＳＣＨＥＤＵＬＩＮＧ  ＩＮＦＯＲＭＡＴＩＯＮ  ＲＥＳＰＯＮＳＥメッセージである。
【００５７】
ステップ３０１を実行する前に、前記方法はさらにステップ３００を含む。
【００５８】
ステップ３００において、ＭＣＥは、Ｍ２  ＳＥＴ  ＵＰ  ＲＥＱＵＥＳＴメッセージを送信し、Ｍ２  ＳＥＴ  ＵＰ  ＲＥＳＰＯＮＳＥメッセージを受信し、または、ＭＣＥは、ＭＣＥ  ＣＯＮＦＩＧＵＲＡＴＩＯＮ  ＵＰＤＡＴＥメッセージを送信し、ＭＣＥ  ＣＯＮＦＩＧＵＲＡＴＩＯＮ  ＵＰＤＡＴＥ  ＡＣＫＮＯＷＬＥＤＧメッセージを受信する。
【００５９】
実施例１
図７に示すように、本発明の実施例１におけるデータ送信方法の詳細処理フローは下記のステップを含む。
【００６０】
ステップ４０１において、ｅＮＢはＭＣＥにＭ２  ＳＥＴ  ＵＰ  ＲＥＱＵＥＳＴメッセージを送信する。
【００６１】
ステップ４０２において、ＭＣＥはｅＮＢにＭ２  ＳＥＴ  ＵＰ  ＲＥＳＰＯＮＳＥメッセージを返信する。
【００６２】
ここで、ｅＮＢがＭＢＭＳのスケジューリング情報指示メッセージを受信しなかった場合、ＭＣＣＨをベアラするＰＭＣＨが存在しないと確認する。
【００６３】
ここで、ＭＣＣＨをベアラするＰＭＣＨが存在しないことは、ＰＭＣＨの数がＮであるが、Ｎ個のＰＭＣＨがいずれもＭＣＣＨをベアラせず、Ｎが０以上の整数であることを指している。
【００６４】
ステップ４０３において、ｅＮＢはＵＥにＳｙｓｔｅｍ  Ｉｎｆｏｒｍａｔｉｏｎ  Ｂｌｏｃｋ  Ｔｙｐｅ１３メッセージを送信する。
【００６５】
具体的に、ｅＮＢは、エアインターフェースを介して、ＵＥにＳｙｓｔｅｍ  Ｉｎｆｏｒｍａｔｉｏｎ  Ｂｌｏｃｋ  Ｔｙｐｅ１３メッセージを送信する。
【００６６】
ここで、前記Ｓｙｓｔｅｍ  Ｉｎｆｏｒｍａｔｉｏｎ  Ｂｌｏｃｋ  Ｔｙｐｅ１３メッセージの内容はＭ２  ＳＥＴ  ＵＰ  ＲＥＳＰＯＮＳＥメッセージに基づいて構成される。
【００６７】
３ＧＰＰ  ＴＳ３６３３１のプロトコル規範によれば、ＵＥがＭＣＣＨの修正期間毎にＭＣＣＨを読み込み、ＵＥの節電のために、ｅＮＢ側においてＳｙｓｔｅｍ  Ｉｎｆｏｒｍａｔｉｏｎ  Ｂｌｏｃｋ  Ｔｙｐｅ１３メッセージ内のＭＣＣＨの修正期間をプロトコル許容の最大値に設定する。ｅＮＢがＭＣＣＨ修正期間をプロトコル許容の最大値に修正するために、ＭＣＥは、ｅＮＢにＭＣＥ  ＣＯＮＦＩＧＵＲＡＴＩＯＮ  ＵＰＤＡＴＥメッセージを送信する。
【００６８】
ステップ４０４において、ｅＮＢはＳｙｓｔｅｍ  Ｉｎｆｏｒｍａｔｉｏｎ  Ｂｌｏｃｋメッセージに基づいてＭＢＳＦＮ  Ａｒｅａ  Ｃｏｎｆｉｇｕｒａｔｉｏｎメッセージを構成する。
【００６９】
ここで、ＭＢＳＦＮ  Ａｒｅａ  Ｃｏｎｆｉｇｕｒａｔｉｏｎメッセージ内のＭＢＳＦＮエリアの公共サブフレーム構成情報の設定、例えばｃｏｍｍｏｎＳＦ−Ａｌｌｏｃ、ｃｏｍｍｏｎＳＦ−ＡｌｌｏｃＰｅｒｉｏｄは、Ｓｙｓｔｅｍ  Ｉｎｆｏｒｍａｔｉｏｎ  Ｂｌｏｃｋ  Ｔｙｐｅ１３と同じである。ＭＢＳＦＮ  Ａｒｅａ  Ｃｏｎｆｉｇｕｒａｔｉｏｎメッセージ内のＰＭＣＨの数がＮ＋１であり、増やされたＰＭＣＨの構成とＳｙｓｔｅｍ  Ｉｎｆｏｒｍａｔｉｏｎ  Ｂｌｏｃｋ  Ｔｙｐｅ１３メッセージと同様であり、前記増やされたＰＭＣＨに含まれているＭＢＭＳセッションの数が０である。
【００７０】
３ＧＰＰ  ＴＳ３６３３１のプロトコル規範によれば、ＭＢＳＦＮ  Ａｒｅａ  Ｃｏｎｆｉｇｕｒａｔｉｏｎメッセージ内のＭＣＣＨをベアラするＰＭＣＨのスケジューリング期間は、Ｓｙｓｔｅｍ  Ｉｎｆｏｒｍａｔｉｏｎ  Ｂｌｏｃｋ  Ｔｙｐｅ１３メッセージにより指示されたＭＣＣＨ反復期間より大きくてはならないため、同一ＭＣＥのサービスを受ける各ｅＮＢによって送信されるメッセージの内容が一致することを保証するために、ＰＭＣＨのスケジューリング期間をプロトコル許容の最小値に設定し、またはＰＭＣＨのスケジューリング期間をＳｙｓｔｅｍ  Ｉｎｆｏｒｍａｔｉｏｎ  Ｂｌｏｃｋ  Ｔｙｐｅ１３メッセージにより指示されたＭＣＣＨ反復期間と同じ値に設定し、それによって、ｅＮＢ側のスケジューリングリソースを最大限に省くことが可能である。
【００７１】
ステップ４０５において、ｅＮＢは、前記Ｓｙｓｔｅｍ  Ｉｎｆｏｒｍａｔｉｏｎ  Ｂｌｏｃｋ  Ｔｙｐｅ１３メッセージ、またはＭＢＳＦＮ  Ａｒｅａ  Ｃｏｎｆｉｇｕｒａｔｉｏｎメッセージの構成に基づいてデータのスケジューリングを行い、前記ＭＢＳＦＮ  Ａｒｅａ  Ｃｏｎｆｉｇｕｒａｔｉｏｎメッセージを送信する。
【００７２】
具体的に、ｅＮＢは、エアインターフェースを介して、ＵＥに前記ＭＢＳＦＮ  Ａｒｅａ  Ｃｏｎｆｉｇｕｒａｔｉｏｎメッセージを送信する。
【００７３】
実施例２
図８に示すように、本発明の実施例２におけるデータ送信方法の詳細処理フローは下記のステップを含む。
【００７４】
ステップ５０１において、ｅＮＢはＭＣＥにＭ２  ＳＥＴ  ＵＰ  ＲＥＱＵＥＳＴメッセージを送信する。
【００７５】
ステップ５０２において、ＭＣＥはｅＮＢにＭ２  ＳＥＴ  ＵＰ  ＲＥＳＰＯＮＳＥメッセージを送信する。
【００７６】
ステップ５０３において、ＭＣＥはｅＮＢにＭＢＭＳ  ＳＣＨＥＤＵＬＩＮＧ  ＩＮＦＯＲＭＡＴＩＯＮメッセージを送信する。
【００７７】
ここで、前記ＭＢＭＳ  ＳＣＨＥＤＵＬＩＮＧ  ＩＮＦＯＲＭＡＴＩＯＮメッセージはＭＣＣＨをベアラするＰＭＣＨが存在しないことを指示する。
【００７８】
ここで、ＭＣＣＨをベアラするＰＭＣＨが存在しないことは、ＰＭＣＨの数が０であることを指している。
【００７９】
ステップ５０４において、ｅＮＢはＭＣＥにＭＢＭＳ  ＳＣＨＥＤＵＬＩＮＧ  ＩＮＦＯＲＭＡＴＩＯＮ  ＲＥＳＰＯＮＳＥメッセージを送信する。
【００８０】
ここで、ｅＮＢはＭＣＣＨをベアラするＰＭＣＨが存在しないと確認する。
【００８１】
ステップ５０５において、ｅＮＢはＵＥにＳｙｓｔｅｍ  Ｉｎｆｏｒｍａｔｉｏｎ  Ｂｌｏｃｋ  Ｔｙｐｅ１３メッセージを送信する。
【００８２】
具体的に、ｅＮＢは、エアインターフェースを介して、ＵＥにＳｙｓｔｅｍ  Ｉｎｆｏｒｍａｔｉｏｎ  Ｂｌｏｃｋ  Ｔｙｐｅ１３メッセージを送信する。
【００８３】
ここで、前記Ｓｙｓｔｅｍ  Ｉｎｆｏｒｍａｔｉｏｎ  Ｂｌｏｃｋ  Ｔｙｐｅ１３メッセージの内容はＭ２  ＳＥＴ  ＵＰ  ＲＥＳＰＯＮＳＥメッセージに基づいて構成される。
【００８４】
３ＧＰＰ  ＴＳ３６３３１のプロトコル規範によれば、ＵＥがＭＣＣＨの修正期間毎にＭＣＣＨを読み込み、ＵＥの節電のために、ｅＮＢ側においてＳｙｓｔｅｍ  Ｉｎｆｏｒｍａｔｉｏｎ  Ｂｌｏｃｋ  Ｔｙｐｅ１３メッセージ内のＭＣＣＨの修正期間をプロトコル許容の最大値に設定する。ｅＮＢがＭＣＣＨ修正期間をプロトコル許容の最大値に修正するために、ＭＣＥは、ｅＮＢにＭＣＥ  ＣＯＮＦＩＧＵＲＡＴＩＯＮ  ＵＰＤＡＴＥメッセージを送信する。
【００８５】
ステップ５０６において、ｅＮＢはＳｙｓｔｅｍ  Ｉｎｆｏｒｍａｔｉｏｎ  Ｂｌｏｃｋメッセージに基づいてＭＢＳＦＮ  Ａｒｅａ  Ｃｏｎｆｉｇｕｒａｔｉｏｎメッセージを構成する。
【００８６】
ここで、ＭＢＳＦＮ  Ａｒｅａ  Ｃｏｎｆｉｇｕｒａｔｉｏｎメッセージ内のＭＢＳＦＮエリアの公共サブフレーム構成情報の設定、例えばｃｏｍｍｏｎＳＦ−Ａｌｌｏｃ、ｃｏｍｍｏｎＳＦ−ＡｌｌｏｃＰｅｒｉｏｄは、Ｓｙｓｔｅｍ  Ｉｎｆｏｒｍａｔｉｏｎ  Ｂｌｏｃｋ  Ｔｙｐｅ１３と同じである。ＭＢＳＦＮ  Ａｒｅａ  Ｃｏｎｆｉｇｕｒａｔｉｏｎメッセージ内のＰＭＣＨの数が１であり、該ＰＭＣＨの構成はＳｙｓｔｅｍ  Ｉｎｆｏｒｍａｔｉｏｎ  Ｂｌｏｃｋ  Ｔｙｐｅ１３メッセージと同様であり、該ＰＭＣＨに含まれるＭＢＭＳセッションの数が０である。
【００８７】
３ＧＰＰ  ＴＳ３６３３１のプロトコル規範によれば、ＭＢＳＦＮ  Ａｒｅａ  Ｃｏｎｆｉｇｕｒａｔｉｏｎメッセージ内のＭＣＣＨをベアラするＰＭＣＨのスケジューリング期間は、Ｓｙｓｔｅｍ  Ｉｎｆｏｒｍａｔｉｏｎ  Ｂｌｏｃｋ  Ｔｙｐｅ１３メッセージにより指示されたＭＣＣＨ反復期間より大きくてはならないため、同一ＭＣＥのサービスを受ける各ｅＮＢによって送信されるメッセージの内容が一致することを保証するために、ＰＭＣＨのスケジューリング期間をプロトコル許容の最小値に設定し、またはＰＭＣＨのスケジューリング期間をＳｙｓｔｅｍ  Ｉｎｆｏｒｍａｔｉｏｎ  Ｂｌｏｃｋ  Ｔｙｐｅ１３メッセージにより指示されたＭＣＣＨ反復期間と同じ値に設定し、それによって、ｅＮＢ側のスケジューリングリソースを最大限に省くことが可能である。
【００８８】
ステップ５０７において、ｅＮＢは前記Ｓｙｓｔｅｍ  Ｉｎｆｏｒｍａｔｉｏｎ  Ｂｌｏｃｋ  Ｔｙｐｅ１３メッセージまたはＭＢＳＦＮ  Ａｒｅａ  Ｃｏｎｆｉｇｕｒａｔｉｏｎメッセージの構成に基づいてデータのスケジューリングを行い、前記ＭＢＳＦＮ  Ａｒｅａ  Ｃｏｎｆｉｇｕｒａｔｉｏｎメッセージを送信する。
【００８９】
具体的に、ｅＮＢは、エアインターフェースを介して、ＵＥに前記ＭＢＳＦＮ  Ａｒｅａ  Ｃｏｎｆｉｇｕｒａｔｉｏｎメッセージを送信する。
【００９０】
実施例３
図９に示すように、本発明の実施例３におけるデータ送信方法の詳細処理フローは下記のステップを含む。
【００９１】
ステップ６０１において、ＭＣＥはｅＮＢにＭＣＥ  ＣＯＮＦＩＧＵＲＡＴＩＯＮ  ＵＰＤＡＴＥメッセージを送信する。
【００９２】
ステップ６０２において、ｅＮＢはＭＣＥにＭＣＥ  ＣＯＮＦＩＧＵＲＡＴＩＯＮ  ＵＰＤＡＴＥ  ＡＣＫＮＯＬＮＯＷＬＥＤＧＥメッセージを送信する。
【００９３】
ステップ６０３において、ＭＣＥはｅＮＢにＭＢＭＳ  ＳＣＨＥＤＵＬＩＮＧ  ＩＮＦＯＲＭＡＴＩＯＮメッセージを送信する。
【００９４】
ここで、前記ＭＢＭＳ  ＳＣＨＥＤＵＬＩＮＧ  ＩＮＦＯＲＭＡＴＩＯＮメッセージに指示されたＰＭＣＨの数がＮであり、Ｎが正の整数であるが、Ｎ個のＰＭＣＨはいずれもＭＣＣＨをベアラしない。
【００９５】
ステップ６０４において、ｅＮＢはＭＣＥにＭＢＭＳ  ＳＣＨＥＤＵＬＩＮＧ  ＩＮＦＯＲＭＡＴＩＯＮ  ＲＥＳＰＯＮＳＥメッセージを送信する。
【００９６】
ここで、ｅＮＢはＭＣＣＨをベアラするＰＭＣＨが存在しないと確認する。
【００９７】
ステップ６０５において、ｅＮＢはＵＥにＳｙｓｔｅｍ  Ｉｎｆｏｒｍａｔｉｏｎ  Ｂｌｏｃｋ  Ｔｙｐｅ１３メッセージを送信する。
【００９８】
具体的に、ｅＮＢは、エアインターフェースを介して、ＵＥにＳｙｓｔｅｍ  Ｉｎｆｏｒｍａｔｉｏｎ  Ｂｌｏｃｋ  Ｔｙｐｅ１３メッセージを送信する。
【００９９】
ここで、前記Ｓｙｓｔｅｍ  Ｉｎｆｏｒｍａｔｉｏｎ  Ｂｌｏｃｋ  Ｔｙｐｅ１３メッセージの内容は、ＭＣＥ  ＣＯＮＦＩＧＵＲＡＴＩＯＮ  ＵＰＤＡＴＥメッセージに基づいて構成される。
【０１００】
ステップ６０６において、ｅＮＢはＳｙｓｔｅｍ  Ｉｎｆｏｒｍａｔｉｏｎ  Ｂｌｏｃｋ  Ｔｙｐｅ１３メッセージに基づいてＭＢＳＦＮ  Ａｒｅａ  Ｃｏｎｆｉｇｕｒａｔｉｏｎメッセージを構成する。
【０１０１】
ここで、ＭＢＳＦＮ  Ａｒｅａ  Ｃｏｎｆｉｇｕｒａｔｉｏｎメッセージ内のＰＭＣＨの数がＮ＋１であり、増やされたＰＭＣＨの構成はＳｙｓｔｅｍ  Ｉｎｆｏｒｍａｔｉｏｎ  Ｂｌｏｃｋ  Ｔｙｐｅ１３と同様であり、前記増やされたＰＭＣＨに含まれているＭＢＭＳセッションの数が０である。
【０１０２】
３ＧＰＰ  ＴＳ３６３３１のプロトコル規範によれば、ＭＢＳＦＮ  Ａｒｅａ  Ｃｏｎｆｉｇｕｒａｔｉｏｎメッセージ内のＭＣＣＨをベアラするＰＭＣＨのスケジューリング期間は、Ｓｙｓｔｅｍ  Ｉｎｆｏｒｍａｔｉｏｎ  Ｂｌｏｃｋ  Ｔｙｐｅ１３メッセージにより指示されたＭＣＣＨ反復期間より大きくてはならないため、同一ＭＣＥのサービスを受ける各ｅＮＢによって送信されるメッセージの内容が一致することを保証するために、ＰＭＣＨのスケジューリング期間をプロトコル許容の最小値に設定し、またはＰＭＣＨのスケジューリング期間をＳｙｓｔｅｍ  Ｉｎｆｏｒｍａｔｉｏｎ  Ｂｌｏｃｋ  Ｔｙｐｅ１３メッセージにより指示されたＭＣＣＨ反復期間と同じ値に設定し、それによって、ｅＮＢ側のスケジューリングリソースを最大限に省くことが可能である。
【０１０３】
ステップ６０７において、ｅＮＢは前記Ｓｙｓｔｅｍ  Ｉｎｆｏｒｍａｔｉｏｎ  Ｂｌｏｃｋ  Ｔｙｐｅ１３メッセージまたはＭＢＳＦＮ  Ａｒｅａ  Ｃｏｎｆｉｇｕｒａｔｉｏｎメッセージの構成に基づいてデータのスケジューリングを行い、前記ＭＢＳＦＮ  Ａｒｅａ  Ｃｏｎｆｉｇｕｒａｔｉｏｎメッセージを送信する。
【０１０４】
具体的に、ｅＮＢは、エアインターフェースを介して、ＵＥに前記ＭＢＳＦＮ  Ａｒｅａ  Ｃｏｎｆｉｇｕｒａｔｉｏｎメッセージを送信する。
【０１０５】
実施例４
図１０に示すように、本発明の実施例４におけるデータ送信方法の詳細処理フローは下記のステップを含む。
【０１０６】
ステップ７０１において、ｅＮＢはＭＣＥにｅＮＢ  ＣＯＮＦＩＧＵＲＡＴＩＯＮ  ＵＰＤＡＴＥメッセージを送信する。
【０１０７】
ステップ７０２において、ＭＣＥはｅＮＢにｅＮＢ  ＣＯＮＦＩＧＵＲＡＴＩＯＮ  ＵＰＤＡＴＥ  ＡＣＫＮＯＬＮＯＷＬＥＤＧＥメッセージを送信する。
【０１０８】
ステップ７０３において、ＭＣＥはｅＮＢにＭＢＭＳ  ＳＣＨＥＤＵＬＩＮＧ  ＩＮＦＯＲＭＡＴＩＯＮメッセージを送信する。
【０１０９】
ここで、前記ＭＢＭＳ  ＳＣＨＥＤＵＬＩＮＧ  ＩＮＦＯＲＭＡＴＩＯＮメッセージに指示されたＰＭＣＨの数がＮであり、Ｎが正の整数であるが、Ｎ個のＰＭＣＨはいずれもＭＣＣＨをベアラしない。
【０１１０】
ステップ７０４において、ｅＮＢはＭＣＥにＭＢＭＳ  ＳＣＨＥＤＵＬＩＮＧ  ＩＮＦＯＲＭＡＴＩＯＮ  ＲＥＳＰＯＮＳＥメッセージを送信する。
【０１１１】
ここで、ｅＮＢはＭＣＣＨをベアラするＰＭＣＨが存在しないと確認する。
【０１１２】
ステップ７０５において、ｅＮＢはＵＥにＳｙｓｔｅｍ  Ｉｎｆｏｒｍａｔｉｏｎ  Ｂｌｏｃｋ  Ｔｙｐｅ１３メッセージを送信する。
【０１１３】
具体的に、ｅＮＢは、エアインターフェースを介して、ＵＥにＳｙｓｔｅｍ  Ｉｎｆｏｒｍａｔｉｏｎ  Ｂｌｏｃｋ  Ｔｙｐｅ１３メッセージを送信する。
【０１１４】
具体的に、ｅＮＢは、エアインターフェースを介して、ＵＥにＳｙｓｔｅｍ  Ｉｎｆｏｒｍａｔｉｏｎ  Ｂｌｏｃｋ  Ｔｙｐｅ１３メッセージを送信する。
【０１１５】
ここで、前記Ｓｙｓｔｅｍ  Ｉｎｆｏｒｍａｔｉｏｎ  Ｂｌｏｃｋ  Ｔｙｐｅ１３メッセージの内容は、ｅＮＢ  ＣＯＮＦＩＧＵＲＡＴＩＯＮ  ＵＰＤＡＴＥ  ＡＣＫＮＯＷＬＥＤＧＥメッセージに基づいて構成される。
【０１１６】
ステップ７０６において、ｅＮＢはＳｙｓｔｅｍ  Ｉｎｆｏｒｍａｔｉｏｎ  Ｂｌｏｃｋ  Ｔｙｐｅ１３メッセージに基づいてＭＢＳＦＮ  Ａｒｅａ  Ｃｏｎｆｉｇｕｒａｔｉｏｎメッセージを構成する。
【０１１７】
ここで、ＭＢＳＦＮ  Ａｒｅａ  Ｃｏｎｆｉｇｕｒａｔｉｏｎメッセージ内のＭＢＳＦＮエリアの公共サブフレーム構成情報の設定、例えばｃｏｍｍｏｎＳＦ−Ａｌｌｏｃ、ｃｏｍｍｏｎＳＦ−ＡｌｌｏｃＰｅｒｉｏｄは、Ｓｙｓｔｅｍ  Ｉｎｆｏｒｍａｔｉｏｎ  Ｂｌｏｃｋ  Ｔｙｐｅ１３と同じである。ＭＢＳＦＮ  Ａｒｅａ  Ｃｏｎｆｉｇｕｒａｔｉｏｎメッセージ内のＰＭＣＨの数がＮ＋１であり、増やされたＰＭＣＨの構成は、Ｓｙｓｔｅｍ  Ｉｎｆｏｒｍａｔｉｏｎ  Ｂｌｏｃｋ  Ｔｙｐｅ１３メッセージと同様であり、前記増やされたＰＭＣＨに含まれているＭＢＭＳセッションの数が０である。
【０１１８】
３ＧＰＰ  ＴＳ３６３３１のプロトコル規範によれば、ＭＢＳＦＮ  Ａｒｅａ  Ｃｏｎｆｉｇｕｒａｔｉｏｎメッセージ内のＭＣＣＨをベアラするＰＭＣＨのスケジューリング期間は、Ｓｙｓｔｅｍ  Ｉｎｆｏｒｍａｔｉｏｎ  Ｂｌｏｃｋ  Ｔｙｐｅ１３メッセージにより指示されたＭＣＣＨ反復期間より大きくてはならないため、同一ＭＣＥのサービスを受ける各ｅＮＢによって送信されるメッセージの内容が一致することを保証するために、ＰＭＣＨのスケジューリング期間をプロトコル許容の最小値に設定し、またはＰＭＣＨのスケジューリング期間をＳｙｓｔｅｍ  Ｉｎｆｏｒｍａｔｉｏｎ  Ｂｌｏｃｋ  Ｔｙｐｅ１３メッセージにより指示されたＭＣＣＨ反復期間と同じ値に設定し、それによって、ｅＮＢ側のスケジューリングリソースを最大限に省くことが可能である。
【０１１９】
ステップ７０７において、ｅＮＢは前記Ｓｙｓｔｅｍ  Ｉｎｆｏｒｍａｔｉｏｎ  Ｂｌｏｃｋ  Ｔｙｐｅ１３メッセージまたはＭＢＳＦＮ  Ａｒｅａ  Ｃｏｎｆｉｇｕｒａｔｉｏｎメッセージの構成に基づいてデータのスケジューリングを行い、前記ＭＢＳＦＮ  Ａｒｅａ  Ｃｏｎｆｉｇｕｒａｔｉｏｎメッセージを送信する。
【０１２０】
具体的に、ｅＮＢは、エアインターフェースを介して、ＵＥに前記ＭＢＳＦＮ  Ａｒｅａ  Ｃｏｎｆｉｇｕｒａｔｉｏｎメッセージを送信する。
【０１２１】
上記のデータ送信方法を実現するために、本発明の実施例はさらにｅＮＢを提供し、図１１に示すように、前記ｅＮＢの構成は、確定モジュール１１、第１送信モジュール１２、構成モジュール１３、処理モジュール１４及び第２送信モジュール１５を含む。
【０１２２】
前記確認モジュール１１は、ＭＣＣＨをベアラするＰＭＣＨが存在するか否かを確認するように構成される。
【０１２３】
前記第１送信モジュール１２は、確認モジュールがＭＣＣＨをベアラするＰＭＣＨが存在しないことを確認した場合、Ｓｙｓｔｅｍ  Ｉｎｆｏｒｍａｔｉｏｎ  Ｂｌｏｃｋメッセージを送信するように構成される。
【０１２４】
前記構成モジュール１３は、Ｓｙｓｔｅｍ  Ｉｎｆｏｒｍａｔｉｏｎ  Ｂｌｏｃｋメッセージに基づき、ＭＢＳＦＮ  Ａｒｅａ  Ｃｏｎｆｉｇｕｒａｔｉｏｎメッセージを構成するように構成される。
【０１２５】
前記処理モジュール１４は、前記Ｓｙｓｔｅｍ  Ｉｎｆｏｒｍａｔｉｏｎ  Ｂｌｏｃｋメッセージ、またはＭＢＳＦＮ  Ａｒｅａ  Ｃｏｎｆｉｇｕｒａｔｉｏｎメッセージの構成に基づいて、データのスケジューリングを行うように構成される。
【０１２６】
前記第２送信モジュール１５は、前記ＭＢＳＦＮ  Ａｒｅａ  Ｃｏｎｆｉｇｕｒａｔｉｏｎメッセージを送信するように構成される。
【０１２７】
一つの実施例において、前記基地局はさらに第１受信モジュール１６を含み、前記確認モジュールがＭＣＣＨをベアラするＰＭＣＨが存在しないことを確認する時に、
前記第１受信モジュール１６は、Ｍ２  ＳＥＴ  ＵＰ  ＲＥＳＰＯＮＳＥメッセージを受信するように構成され、または、
前記第１受信モジュール１６は、さらにＭＢＭＳ  ＳＣＨＥＤＵＬＩＮＧ  ＩＮＦＯＲＭＡＴＩＯＮメッセージを受信するように構成される。前記ＭＢＭＳ  ＳＣＨＥＤＵＬＩＮＧ  ＩＮＦＯＲＭＡＴＩＯＮメッセージはＭＣＣＨをベアラするＰＭＣＨが存在しないことを指示する。
【０１２８】
一つの実施例において、前記第１受信モジュール１６はさらに、ＭＣＥコンフィギュレーション更新メッセージを受信するように構成される。
【０１２９】
それに応じて、前記第１送信モジュール１２は、具体的にエアインターフェースを介してＳｙｓｔｅｍ  Ｉｎｆｏｒｍａｔｉｏｎ  Ｂｌｏｃｋメッセージを送信するように構成され、ここで、前記Ｍ２  ＳＥＴＵＰ  ＲＥＳＰＯＮＳＥメッセージがＭＣＣＨをベアラするＰＭＣＨが存在しないことを指示した場合、前記Ｓｙｓｔｅｍ  Ｉｎｆｏｒｍａｔｉｏｎ  Ｂｌｏｃｋメッセージの内容は、前記Ｍ２  ＳＥＴＵＰ  ＲＥＳＰＯＮＳＥメッセージに基づいて構成される。
【０１３０】
前記ＭＢＭＳ  ＳＣＨＥＤＵＬＩＮＧ  ＩＮＦＯＲＭＡＴＩＯＮメッセージがＭＣＣＨをベアラするＰＭＣＨが存在しないことを指示した場合、前記Ｓｙｓｔｅｍ  Ｉｎｆｏｒｍａｔｉｏｎ  Ｂｌｏｃｋメッセージの内容は、前記ＭＢＭＳ  ＳＣＨＥＤＵＬＩＮＧ  ＩＮＦＯＲＭＡＴＩＯＮ  ＲＥＳＰＯＮＳＥメッセージ、前記ｅＮＢＣＯＮＦＩＧＵＲＡＴＩＯＮ  ＵＰＤＡＴＥ  ＡＣＫＮＯＷＬＥＤＧＥメッセージ及び前記ＭＣＥ  ＣＯＮＦＩＧＵＲＡＴＩＯＮ  ＵＰＤＡＴＥメッセージのうち、メッセージ時間が新しい一つのメッセージに基づいて構成される。
【０１３１】
一つの実施例において、３ＧＰＰ  ＴＳ３６３３１のプロトコル規範によれば、ＵＥがＭＣＣＨの修正期間毎にＭＣＣＨを読み込み、ＵＥの節電のために、ｅＮＢ側においてＳｙｓｔｅｍ  Ｉｎｆｏｒｍａｔｉｏｎ  Ｂｌｏｃｋ  Ｔｙｐｅ１３メッセージ内のＭＣＣＨの修正期間をプロトコル許容の最大値に設定する。ｅＮＢがＭＣＣＨ修正期間をプロトコル許容の最大値に修正するために、ＭＣＥによりｅＮＢにＭＣＥ  ＣＯＮＦＩＧＵＲＡＴＩＯＮ  ＵＰＤＡＴＥメッセージを送信する。
【０１３２】
３ＧＰＰ  ＴＳ３６３３１のプロトコル規範によれば、ＭＢＳＦＮ  Ａｒｅａ  Ｃｏｎｆｉｇｕｒａｔｉｏｎメッセージ内のＭＣＣＨをベアラするＰＭＣＨのスケジューリング期間は、Ｓｙｓｔｅｍ  Ｉｎｆｏｒｍａｔｉｏｎ  Ｂｌｏｃｋメッセージにより指示されたＭＣＣＨ反復期間より大きくてはならないため、同一ＭＣＥのサービスを受ける各ｅＮＢによって送信されるメッセージの内容が一致することを保証するために、ＰＭＣＨのスケジューリング期間をプロトコル許容の最小値に設定し、またはＰＭＣＨのスケジューリング期間をＳｙｓｔｅｍ  Ｉｎｆｏｒｍａｔｉｏｎ  Ｂｌｏｃｋメッセージにより指示されたＭＣＣＨ反復期間と同じ値に設定し、それによって、ｅＮＢ側のスケジューリングリソースを最大限に省くことが可能である。
【０１３３】
上記のデータ送信方法を実現するため、本発明の実施例はさらにＵＥを提供し、図１２に示すように、前記ＵＥの構成は、第２受信モジュール２１と第３受信モジュール２２を含む。ここで、
前記第２受信モジュール２１は、Ｓｙｓｔｅｍ  Ｉｎｆｏｒｍａｔｉｏｎ  Ｂｌｏｃｋメッセージを受信するように構成される。
【０１３４】
前記第３受信モジュール２２は、ＭＢＳＦＮ  Ａｒｅａ  Ｃｏｎｆｉｇｕｒａｔｉｏｎメッセージを受信するように構成される。
【０１３５】
前記ＭＢＳＦＮ  Ａｒｅａ  Ｃｏｎｆｉｇｕｒａｔｉｏｎメッセージの内容は、ＵＥによって前記システム情報ブロックメッセージに基づいて構成され、ＰＭＣＨの数がＮ＋１であることを指示し、ここで、一つのＰＭＣＨがＭＣＣＨをベアラし、ＭＣＣＨをベアラするＰＭＣＨに含まれるＭＢＭＳセッションの数が０である。
【０１３６】
一つの実施例において、ＵＥはｅＮＢがエアインターフェースを介して送信したＳｙｓｔｅｍ  Ｉｎｆｏｒｍａｔｉｏｎ  ＢｌｏｃｋメッセージとＭＢＳＦＮ  Ａｒｅａ  Ｃｏｎｆｉｇｕｒａｔｉｏｎメッセージを受信する。
【０１３７】
ここで、前記Ｓｙｓｔｅｍ  Ｉｎｆｏｒｍａｔｉｏｎ  Ｂｌｏｃｋの内容は、前記Ｍ２  ＳＥＴＵＰ  ＲＥＳＰＯＮＳＥメッセージ、前記ｅＮＢ  ＣＯＮＦＩＧＵＲＡＴＩＯＮ  ＵＰＤＡＴＥ  ＡＣＫＮＯＷＬＥＤＧＥメッセージと前記ＭＣＥ  ＣＯＮＦＩＧＵＲＡＴＩＯＮ  ＵＰＤＡＴＥのうち、メッセージ時間が新しい一つのメッセージに基づいて構成され、前記Ｓｙｓｔｅｍ  Ｉｎｆｏｒｍａｔｉｏｎ  Ｂｌｏｃｋメッセージ内のＭＣＣＨの修正期間が３ＧＰＰ  ＴＳ３６３３１プロトコル許容の最大値である。
【０１３８】
ＭＢＳＦＮ  Ａｒｅａ  Ｃｏｎｆｉｇｕｒａｔｉｏｎメッセージ内のＭＢＳＦＮエリアの公共サブフレーム構成情報の設定、例えばｃｏｍｍｏｎＳＦ−Ａｌｌｏｃ、ｃｏｍｍｏｎＳＦ−ＡｌｌｏｃＰｅｒｉｏｄは、Ｓｙｓｔｅｍ  Ｉｎｆｏｒｍａｔｉｏｎ  Ｂｌｏｃｋと同じである。ＭＢＳＦＮ  Ａｒｅａ  Ｃｏｎｆｉｇｕｒａｔｉｏｎメッセージ内のＰＭＣＨの数がＮ＋１であり、増やされたＰＭＣＨの構成はＳｙｓｔｅｍ  Ｉｎｆｏｒｍａｔｉｏｎ  Ｂｌｏｃｋメッセージと同様であり、前記増やされたＰＭＣＨに含まれるＭＢＭＳセッションの数が０である。ＭＢＳＦＮ  Ａｒｅａ  Ｃｏｎｆｉｇｕｒａｔｉｏｎメッセージ内のＰＭＣＨのスケジューリング期間が３ＧＰＰ  ＴＳ３６３３１プロトコル許容の最小値であり、またはＰＭＣＨのスケジューリング期間はＳｙｓｔｅｍ  Ｉｎｆｏｒｍａｔｉｏｎ  Ｂｌｏｃｋ  Ｔｙｐｅ１３メッセージにより指示されたＭＣＣＨ反復期間と同じ値である。
【０１３９】
上記のデータ送信方法を実現するため、本発明の実施例はＭＣＥを提供し、図１３に示すように前記ＭＣＥの構成は、第３送信モジュール３１、第４受信モジュール３２、第４送信モジュール３３及び第５受信モジュール３４を含む。
【０１４０】
前記第３送信モジュール３１は、ＭＣＣＨをベアラするＰＭＣＨが存在しないことを指示するメッセージを送信するように構成される。
【０１４１】
前記第４受信モジュール３２は、前記メッセージの応答メッセージを受信するように構成される。
【０１４２】
前記第４送信モジュール３３は、Ｍ２  ＳＥＴ  ＵＰ  ＲＥＳＰＯＮＳＥメッセージを送信するように構成され、
前記第５受信モジュール３４は、Ｍ２  ＳＥＴ  ＵＰ  ＲＥＱＵＥＳＴメッセージを受信するように構成される。または、
前記第４送信モジュール３３は、ｅＮＢ  ＣＯＮＦＩＧＵＲＡＴＩＯＮ  ＵＰＤＡＴＥ  ＡＣＫＮＯＷＬＥＤＧＥメッセージを送信するように構成され、
前記第５受信モジュール３４は、ｅＮＢ  ＣＯＮＦＩＧＵＲＡＴＩＯＮ  ＵＰＤＡＴＥメッセージを受信するように構成される。または、
前記第４送信モジュール３３は、ＭＣＥ  ＣＯＮＦＩＧＵＲＡＴＩＯＮ  ＵＰＤＡＴＥメッセージを送信するように構成され、
前記第５受信モジュール３４は、ＭＣＥ  ＣＯＮＦＩＧＵＲＡＴＩＯＮ  ＵＰＤＡＴＥ  ＡＣＫＮＯＷＬＥＤＧＥメッセージを受信するように構成される。
【０１４３】
一つの実施例において、前記メッセージの応答メッセージは、ＭＢＭＳ  ＳＣＨＥＤＵＬＩＮＧ  ＩＮＦＯＲＭＡＴＩＯＮ  ＲＥＳＰＯＮＳＥメッセージである。
【０１４４】
本発明の実施例により提供されている、ｅＮＢの確定モジュール１１、第１送信モジュール１２、構成モジュール１３、処理モジュール１４、第２送信モジュール１５及び第１受信モジュール１６、ならびにＵＥの第２受信モジュール２１及び第３受信モジュール２２、ならびにＭＣＥの第３送信モジュール３１、第４受信モジュール３２、第４送信モジュール３３及び第５受信モジュール３４はいずれもプロセッサによって実現することが可能であり、もちろん、具体的なロジック回路によって実現しても良い。ここで、前記プロセッサはモバイル端末またはサーバのプロセッサであっても良く、実際応用において、プロセッサは中央処理装置（ＣＰＵ）、マイクロプロセッサ（ＭＰＵ）、デジタルシグナルプロセッサ（ＤＳＰ）または、現場でプログラム可能なゲートアレイ（ＦＰＧＡ）などであっても良い。
【０１４５】
本発明の実施例において、ソフトウェア機能モジュールの形で上記データ送信方法を実現して、単独の製品として販売または使用する場合、コンピュータ読み取り可能の記憶媒体に記憶しても良い。これによって、本発明の実施例の技術案が事実的に、言い換えれば先行技術に対して貢献した部分がソフトウェア製品の形で体現でき、該コンピュータソフトウェア製品は記憶媒体に記憶され、コンピュータ装置（パソコン、サーバ、またはネットワーク装置などであっても良い）は、本発明の各実施例の全部または一部の前記方法を実行するための複数の命令を含む。前記の記憶媒体は、ＵＳＢメモリ、移動ハードディスク、読み取り専用メモリ（ＲＯＭ：Ｒｅａｄ  Ｏｎｌｙ  Ｍｅｍｏｒｙ）、磁気ディスクまたは光ディスクなどの各種のプログラムコードが記憶できる媒体を含む。従って、本発明の実施例はいかなるハードウェアとソフトウェアとの結合に限らない。
【０１４６】
それに応じて、本発明の実施例はさらに、コンピュータ記憶媒体を提供し、該コンピュータ記憶媒体にコンピュータプログラムが記憶され、該コンピュータプログラムは本発明の実施例における上記のデータ送信方法を実行することに用いられる。
【０１４７】
以上に記載しているのは、本発明の好ましい実施例であって、本発明の範囲を限定しない。
【図１】
0006346710.tif 000002
【図２】
0006346710.tif 000003
【図３】
0006346710.tif 000004
【図４】
0006346710.tif 000005
【図５】
0006346710.tif 000006
【図６】
0006346710.tif 000007
【図７】
0006346710.tif 000008
【図８】
0006346710.tif 000009
【図９】
0006346710.tif 000010
【図１０】
0006346710.tif 000011
【図１１】
0006346710.tif 000012
【図１２】
0006346710.tif 000013
【図１３】
0006346710.tif 000014